(57)【要約】【課題】ランプの点灯時におけるこのランプの外観上の見栄えを向上させるようにする。このようにしたランプのレンズの各部強度を互いにより均一にさせることにより、車両など振動が大きいものにも用いることができるようにする。【解決手段】レンズ１３の面に沿う一方向Ｘに延びてこの一方向Ｘに沿った視線で見た断面の外縁が凹もしくは凸曲線である曲面１５，２６を有する第１ステップ１６をレンズ１３の面に成形する。レンズ１３の面に沿い、かつ、一方向Ｘに直交する直交方向Ｙに第１ステップ１６を連続的に並設する。第１ステップ１６の曲面１５，２６に、直交方向Ｙに沿った視線で見た断面の外縁がＶ字形状である二つの傾斜平面１７，１７を有する第２ステップ１８を複数成形する。これら第２ステップ１８を各第１ステップ１６の長手方向に沿って並設する。【選択図】    図１
2004265701.tif 000002
【特許請求の範囲】
【請求項１】
レンズの面に沿う一方向に延びてこの一方向に沿った視線で見た断面の外縁が凹もしくは凸曲線である曲面を有する第１ステップを上記レンズの面に成形し、上記レンズの面に沿い、かつ、上記一方向に直交する直交方向に上記第１ステップを連続的に並設し、上記第１ステップの曲面に、上記直交方向に沿った視線で見た断面の外縁がＶ字形状である二つの傾斜平面を有する第２ステップを複数成形し、これら第２ステップを上記各第１ステップの長手方向に沿って並設したランプ。
【請求項２】
上記第２ステップを上記一方向と直交方向とのうち、少なくともいずれかの方向で連続的に並設した請求項１に記載のランプ。
【請求項３】
隣り合う上記第１ステップ間の第１境界線のレンズ厚さ方向における高さと、上記第２ステップにおける両傾斜平面間の第２境界線の上記高さとを互いにほぼ一致させた請求項１、もしくは２に記載のランプ。
【発明の詳細な説明】
【０００１】
【発明が属する技術分野】
本発明は、レンズの面に、曲面を有する第１ステップと、Ｖ字形状の二つの傾斜平面を有する第２ステップとを成形することにより、点灯時における外観上の見栄えを向上させるようにしたランプに関するものである。
【０００２】
【従来の技術】
【０００３】
【特許文献１】特開平８‐２５５５０１号公報
【０００４】
【特許文献２】実開平７‐４１８２９号公報
【０００５】
【特許文献３】実公平６‐４６００２号公報
【０００６】
上記ランプには、従来、上記特許文献１〜３で示されるものがある。上記特許文献１の特に図７（ｂ）と上記特許文献２の特に図５，６で示されたものによれば、曲面を有する第１ステップと、Ｖ字形状の二つの傾斜平面を有する第２ステップとがレンズの面に沿うよう一方向に向って直線的に延び、これら第１、第２ステップは上記レンズの面に沿い、かつ、上記一方向に直交する直交方向で交互に配置されて、縞状とされている。
【０００７】
また、特許文献３の特に図６，７のものによれば、レンズの平坦な面上に曲面を有する多数のステップが等ピッチで成形されている。
【０００８】
ここで、一般的に、ランプの点灯時には、曲面を有する第１ステップを透過する光源からの光は、レンズの外方に向って立体的に広く拡散するよう照射させられ、このため、上記第１ステップからの照射光はぼんやりと見えて、見る物にいわゆる「スモーク感」を生じさせる。
【０００９】
一方、Ｖ字形状の二つの傾斜平面を有する第１ステップを透過する光は、上記各傾斜平面で屈折した後、それぞれがあまり広く拡散することなく、まとまりのある光束として照射させられ、このため、上記第２ステップからの照射光は輝くように見えて、見るものにいわゆる「きらきら感」を生じさせる。
【００１０】
【発明が解決しようとする課題】
ところで、上記した特許文献１，２のものによれば、曲面を有する第１ステップによって「スモーク感」が生じ、二つの傾斜平面を有する第２ステップによって「きらきら感」が生じるが、これら第１、第２ステップが縞状に配置されているため、上記レンズを透過する光により、ランプの外観は単なる縞模様として認識されがちであり、これは、このランプの外観における重厚感と高級感とを阻害して、その見栄えの向上を阻害するおそれがある。
【００１１】
一方、特許文献３のものでは、光源からレンズの平坦な面の部分を透過して外方に向う光は、単に光源からほぼ直接的に見る者に達するため、上記した平坦な面の部分では、「スモーク感」も「きらきら感」も生じることがなく、よって、上記特許文献３のものも、ランプの外観における見栄えを向上させる上で、満足のできるものではない。
【００１２】
本発明は、上記のような事情に注目してなされたもので、ランプの点灯時におけるこのランプの外観上の見栄えを向上させるようすることを課題とし、また、このような課題を解決するランプにおけるレンズの各部強度を互いにより均一にさせることにより、車両など振動が大きいものにも用いることができるようにすることを課題とする。
【００１３】
【課題を解決するための手段】
上記課題を解決するための本発明のランプは、次の如くである。なお、この項において各用語に付記した符号は、本発明の技術的範囲を後述の「発明の実施の形態」の項の内容に限定解釈するものではない。
【００１４】
請求項１の発明は、レンズ１３の面に沿う一方向Ｘに延びてこの一方向Ｘに沿った視線で見た断面の外縁が凹もしくは凸曲線である曲面１５，２６を有する第１ステップ１６を上記レンズ１３の面に成形し、上記レンズ１３の面に沿い、かつ、上記一方向Ｘに直交する直交方向Ｙに上記第１ステップ１６を連続的に並設し、上記第１ステップ１６の曲面１５，２６に、上記直交方向Ｙに沿った視線で見た断面の外縁がＶ字形状である二つの傾斜平面１７，１７を有する第２ステップ１８を複数成形し、これら第２ステップ１８を上記各第１ステップ１６の長手方向に沿って並設したものである。
【００１５】
請求項２の発明は、請求項１の発明に加えて、上記第２ステップ１８を上記一方向Ｘと直交方向Ｙとのうち、少なくともいずれかの方向で連続的に並設したものである。
【００１６】
請求項３の発明は、請求項１、もしくは２の発明に加えて、隣り合う上記第１ステップ１６，１６間の第１境界線２２のレンズ厚さ方向Ｚにおける高さＨと、上記第２ステップ１８における両傾斜平面１７，１７間の第２境界線２３の上記高さＨとを互いにほぼ一致させたものである。
【００１７】
【発明の実施の形態】
以下、本発明の実施の形態を図面により説明する。
【００１８】
図２において、符号１は、車両である自動車で、矢印Ｆｒは、この自動車１の前方を示している。
【００１９】
上記自動車１の車体２にはコンビネーションランプ３が取り付けられ、このコンビネーションランプ３は、ターンシグナル、テール、およびストップランプ４などを備えている。このランプ４は、上記車体２に取り付けられる椀形状の反射鏡７と、この反射鏡７の開口を覆う樹脂製のレンズ８と、これら反射鏡７とレンズ８とで囲まれた内部に収容され上記反射鏡７に支持され電球である光源９とを備え、ランプ４の点灯時における上記光源９からの光１０は上記レンズ８を透過して、その外方に照射される。また、上記レンズ８は、インナーレンズ１２と、アウターレンズ１３とを備えている。
【００２０】
図１〜５において、上記アウターレンズ１３について詳しく説明する。上記レンズ１３は三次元的に緩く湾曲しており、このレンズ１３の両面のうちの一方の面である表面（外面）は平滑な面とされている。一方、上記レンズ１３の裏面は次のように成形されている。即ち、このレンズ１３の裏面（内面）に沿う一方向Ｘに延びてこの一方向Ｘに沿った視線で見た断面の外縁が二次元的な凹曲線である曲面１５を有する第１ステップ１６が上記レンズ１３の裏面に成形されている。上記第１ステップ１６は複数本設けられ、これら第１ステップ１６は上記レンズ１３の面に沿い、かつ、上記一方向Ｘに直交する直交方向Ｙに連続的に並設されている。
【００２１】
より具体的には、上記一方向Ｘはほぼ水平方向であり、直交方向Ｙはほぼ鉛直方向である。また、上記各第１ステップ１６のそれぞれ長手方向の各部断面は互いにほぼ同形同大とされ、各第１ステップ１６の断面同士も互いにほぼ同形同大とされている。
【００２２】
上記各第１ステップ１６の曲面１５には、それぞれ上記直交方向Ｙに沿った視線で見た断面の外縁がＶ字形状凸起である二つの傾斜平面１７，１７を有する第２ステップ１８が一体成形され、これら各第２ステップ１８の断面は二等辺三角形の頂部形状をなしている。これら第２ステップ１８は上記各第１ステップ１６に対しそれぞれ複数設けられ、かつ、隣り合う第１ステップ１６，１６の各第２ステップ１８は上記各第１ステップ１６の長手方向で互いに同じところに配置されている。
【００２３】
上記の場合、隣り合う上記第１ステップ１６，１６間の各第１境界線２２と、上記第１ステップ１６，１６の曲面１５に成形された各第２ステップ１８における両傾斜平面１７，１７間の第２境界線２３とは、上記レンズ１３のレンズ厚さ方向Ｚで見て、ほぼ直交している。
【００２４】
上記各第２ステップ１８は互いに同形同大とされ、上記レンズ１３を上記レンズ厚さ方向Ｚで見て、上記各第２ステップ１８はそれぞれほぼ円形をなし、上記一方向Ｘと、直交方向Ｙとでそれぞれ連続的に並設され、つまり、上記一方向Ｘと直交方向Ｙとで、互いに隣り合う第２ステップ１８，１８同士の対向点２４は互いに接近、もしくは点接合させられている。
【００２５】
また、隣り合う上記第１ステップ１６，１６間の第１境界線２２の上記レンズ厚さ方向Ｚにおける高さＨ、つまり、上記レンズ１３の両面のうちの一方の面である表面からの上記第１境界線２２の高さＨと、上記第１ステップ１６，１６の曲面１５に成形された第２ステップ１８における両傾斜平面１７，１７間の第２境界線２３の上記高さＨとは互いにほぼ一致させられている。
【００２６】
また、上記各第１ステップ１６の長手方向で、互いに同じところに位置させられている各第２ステップ１８の各第２境界線２３同士は三次元的に連続的に延び、上記レンズ１３を上記レンズ厚さ方向Ｚで見て、上記第１、第２境界線２２，２３は直交格子形状とされている。
【００２７】
以下の図６は、他の実施の形態を示している。この実施の形態は、前記実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００２８】
図１〜５で示した前記第１ステップ１６は断面の外縁が凹曲線である曲面１５とされているが、これに代えて、図６では、断面の外縁が凸曲線である曲面２６とされている。また、前記第２ステップ１８は断面の外縁がＶ字形状凹溝をなしている。
【００２９】
全図を参照して、上記レンズ１３において曲面１５，２６を有する第１ステップ１６を透過する光源９からの光１０による照射光は、前記「スモーク感」を生じさせる。そして、上記第１ステップ１６は、上記したように一方向Ｘに延びて直交方向Ｙで連続的に並設してあるため、上記レンズ１３は全体的に密に「スモーク感」を生じさせる。
【００３０】
一方、上記レンズ１３において二つの傾斜平面１７，１７を有する第２ステップ１８を透過する光源９からの光１０による照射光は、前記「きらきら感」を生じさせる。そして、上記したように第２ステップ１８を複数設け、これら第２ステップ１８を上記各第１ステップ１６の長手方向に沿って並設してあるため、上記レンズ１３は、多数点在する各部位から「きらきら感」を生じさせることとなる。
【００３１】
よって、上記レンズ１３によれば、全体的に「スモーク感」を生じさせる基調において、多数点在する各部位からそれぞれ「きらきら感」が生じさせられるのであり、これは、ランプ４の外観における重厚感と高級感とを共に醸成するものであって、その見栄えの向上が達成される。
【００３２】
しかも、上記構成によれば、レンズ１３における各第１ステップ１６は一方向Ｘで見て曲面１５，２６を有する一方、各第２ステップ１８は上記一方向Ｘに直交する直交方向Ｙで見てＶ字形状の二つの傾斜平面１７，１７を有しており、このため、上記第１ステップ１６の曲面１５，２６と、第２ステップ１８の各傾斜平面１７，１７の各面がそれぞれ向う方向は互いに相違することから、上記レンズ１３を透過した照射光が一方向に偏るということはより確実に防止され、よって、点灯時のランプ４の見栄えの向上がより確実に達成される。
【００３３】
また、前記したように、第２ステップ１８を上記一方向Ｘと直交方向Ｙとのうち、少なくともいずれかの方向で連続的に並設してある。
【００３４】
このため、上記第２ステップ１８を連続的に並設した分、「きらきら感」が更に密に生じさせられて、きらびやかとなり、よって、ランプ４の外観における重厚感と高級感とがより高められて、その見栄えの向上が更に確実に達成される。
【００３５】
また、前記したように、レンズ１３の面に沿う一方向Ｘに延びてこの一方向Ｘに沿った視線で見た断面の外縁が凹もしくは凸曲線である曲面１５，２６を有する第１ステップ１６を上記レンズ１３の面に成形し、上記レンズ１３の面に沿い、かつ、上記一方向Ｘに直交する直交方向Ｙに上記第１ステップ１６を連続的に並設し、凹曲面１５である上記第１ステップ１６の曲面１５に、上記一方向Ｘに沿った視線で見た断面の外縁がＶ字形状凸起である二つの傾斜平面１７，１７を有する第２ステップ１８を複数成形し、もしくは凸曲面２６である上記第１ステップ１６の曲面２６に上記一方向Ｘに沿った視線で見た断面の外縁がＶ字形状凹溝である二つの傾斜平面１７，１７を有する第２ステップ１８を複数成形し、これら第２ステップ１８を上記各第１ステップ１６の長手方向に沿って並設してある。
【００３６】
即ち、上記第１ステップ１６の凹曲面１５に対し凸起である第２ステップ１８が一体成形され、第１ステップ１６の凸曲面２６に対し凹溝である第２ステップ１８が成形されることにより、上記レンズ１３の各部の厚さ寸法が互いにより均一となる。
【００３７】
しかも、前記したように、隣り合う上記第１ステップ１６，１６間の第１境界線２２のレンズ厚さ方向Ｚにおける高さＨと、上記第２ステップ１８における両傾斜平面１７，１７間の第２境界線２３の上記高さＨとを互いにほぼ一致させてある。このため、上記レンズ１３の各部の厚さ寸法が互いに更に均一となる。
【００３８】
よって、上記レンズ１３の各部強度を互いにより均一にさせることができて、このランプ４を車両など振動が大きいものにも用いることができる。また、上記レンズ１３を射出成形などにより樹脂型成形する場合、上記したようにレンズ１３の各部の厚さ寸法をより均一にできる分、型内での溶融樹脂の流動が円滑となって、このレンズ１３の成形が精度よく、かつ、容易にできる。
【００３９】
なお、以上は図示の例によるが、上記第２ステップ１８は、上記一方向Ｘと直交方向Ｙとのうち、いずれかの方向では互いに少し離れていてもよい。また、隣り合う第１ステップ１６，１６の各第２ステップ１８は千鳥状に配置してもよく、このように配置して、上記直交方向Ｙで互いに連続的に並設してもよい。
【００４０】
また、上記Ｖ字形状の第２ステップ１８における両傾斜平面１７，１７のうち、一方の傾斜平面１７は、上記レンズ厚さ方向Ｚとほぼ平行な面としてもよい。また、凹曲面１５の第１ステップ１６と、凸曲面２６の第１ステップ１６とを直交方向Ｙで交互に配置してもよい。また、凸曲面２６の第１ステップ１６を直交方向Ｙで並設し、これら隣り合う両第１ステップ１６，１６間の溝にＶ字形状凸起の第２ステップ１８を一体成形してもよい。
【００４１】
【発明の効果】
本発明による効果は、次の如くである。
【００４２】
請求項１の発明は、レンズの面に沿う一方向に延びてこの一方向に沿った視線で見た断面の外縁が凹もしくは凸曲線である曲面を有する第１ステップを上記レンズの面に成形し、上記レンズの面に沿い、かつ、上記一方向に直交する直交方向に上記第１ステップを連続的に並設し、上記第１ステップの曲面に、上記直交方向に沿った視線で見た断面の外縁がＶ字形状である二つの傾斜平面を有する第２ステップを複数成形し、これら第２ステップを上記各第１ステップの長手方向に沿って並設してある。
【００４３】
ここで、上記レンズにおいて曲面を有する第１ステップを透過する光源からの光による照射光は、ぼんやりと見える「スモーク感」を生じさせる。そして、上記第１ステップは、上記したように一方向に延びて直交方向Ｙで連続的に並設してあるため、上記レンズは全体的に密に「スモーク感」を生じさせる。
【００４４】
一方、上記レンズにおいて二つの傾斜平面を有する第２ステップを透過する光源からの光による照射光は、輝くように見える「きらきら感」を生じさせる。そして、上記したように第２ステップを複数設け、これら第２ステップを上記各第１ステップの長手方向に沿って並設してあるため、上記レンズは、多数点在する各部位から「きらきら感」を生じさせることとなる。
【００４５】
よって、上記レンズによれば、全体的に「スモーク感」を生じさせる基調において、多数点在する各部位からそれぞれ「きらきら感」が生じさせられるのであり、これは、ランプの外観における重厚感と高級感とを共に醸成するものであって、その見栄えの向上が達成される。
【００４６】
しかも、上記発明によれば、レンズにおける各第１ステップは一方向で見て曲面を有する一方、各第２ステップは上記一方向に直交する直交方向で見てＶ字形状の二つの傾斜平面を有しており、このため、上記第１ステップの曲面と、第２ステップの各傾斜平面の各面がそれぞれ向う方向は互いに相違することから、上記レンズを透過した照射光が一方向に偏るということはより確実に防止され、よって、点灯時のランプの見栄えの向上がより確実に達成される。
【００４７】
請求項２の発明は、上記第２ステップを上記一方向Ｘと直交方向とのうち、少なくともいずれかの方向で連続的に並設してある。
【００４８】
このため、上記第２ステップを連続的に並設した分、「きらきら感」が更に密に生じさせられて、きらびやかとなり、よって、ランプの外観における重厚感と高級感とがより高められて、その見栄えの向上が更に確実に達成される。
【００４９】
請求項３の発明は、隣り合う上記第１ステップ間の第１境界線のレンズ厚さ方向における高さと、上記第２ステップにおける両傾斜平面間の第２境界線の上記高さとを互いにほぼ一致させてある。
【００５０】
このため、上記レンズの各部の厚さ寸法が互いにより均一となる。よって、上記レンズの各部強度を互いにより均一にさせることができて、このランプを車両など振動が大きいものにも用いることができる。また、上記レンズを射出成形などにより樹脂型成形する場合、上記したようにレンズの各部の厚さ寸法をより均一にできる分、型内での溶融樹脂の流動が円滑となって、このレンズの成形が精度よく、かつ、容易にできる。
【図面の簡単な説明】
【図１】レンズの裏面の部分斜視図である。
【図２】自動車のコンビネーションランプの部分平面断面図である。
【図３】レンズの部分を表面から見た図である。
【図４】図３の４‐４線矢視断面図である。
【図５】図３の５‐５線矢視断面図である。
【図６】他の実施の形態で、図１に相当する図である。
【符号の説明】
１      自動車
２      車体
４      ランプ
９      光源
１０    光
１３    レンズ
１５    曲面
１６    第１ステップ
１７    傾斜平面
１８    第２ステップ
２２    第１境界線
２３    第２境界線
２４    対向点
２６    曲面
Ｘ      一方向
Ｙ      直交方向
Ｚ      レンズ厚さ方向
Ｈ      高さ
【図１】
2004265701.tif 000003
【図２】
2004265701.tif 000004
【図３】
2004265701.tif 000005
【図４】
2004265701.tif 000006
【図５】
2004265701.tif 000007
【図６】
2004265701.tif 000008
【手続補正書】
【提出日】平成15年3月3日(2003.3.3)
【手続補正１】
【補正対象書類名】明細書
【補正対象項目名】０００８
【補正方法】変更
【補正の内容】
【０００８】
ここで、一般的に、ランプの点灯時には、曲面を有する第１ステップを透過する光源からの光は、レンズの外方に向って立体的に広く拡散するよう照射させられ、このため、上記第１ステップからの照射光はぼんやりと見えて、見る者にいわゆる「スモーク感」を生じさせる。


【手続補正２】
【補正対象書類名】明細書
【補正対象項目名】０００９
【補正方法】変更
【補正の内容】
【０００９】
一方、Ｖ字形状の二つの傾斜平面を有する第１ステップを透過する光は、上記各傾斜平面で屈折した後、それぞれがあまり広く拡散することなく、まとまりのある光束として照射させられ、このため、上記第２ステップからの照射光は輝くように見えて、見る者にいわゆる「きらきら感」を生じさせる。


【手続補正３】
【補正対象書類名】明細書
【補正対象項目名】００１２
【補正方法】変更
【補正の内容】
【００１２】
本発明は、上記のような事情に注目してなされたもので、ランプの点灯時におけるこのランプの外観上の見栄えを向上させるようにすることを課題とし、また、このような課題を解決するランプにおけるレンズの各部強度を互いにより均一にさせることにより、車両など振動が大きいものにも用いることができるようにすることを課題とする。